(57)【要約】【目的】剥離紙の使用量を節約しながらロール紙の先端縁を確りと仮止めすることのできるタブと、該タブをロール紙の先端縁に適正に貼付するための装置の提供。【構成】剥離紙６にタブ１を貼付してタブロール７とする。タブ１は長辺が剥離紙の長さ方向に直交する状態で貼付され、その中央部分には斜めの切り目３が形成される。タブロール７はタブ供給リール２０に装着され、これを備えるユニット１５は、テーブル１２上におけるロール紙の長さ方向にタブ供給リールの軸線が平行する状態に配される。テーブル上ではロール紙の先端縁ｅが斜めに切断される。その先端縁ｅに沿ってユニット１５を平行移動させる移動手段と、これと直交する方向にユニット１５を移動させる移動手段を備える。そして、剥離紙から剥離突出されるタブをロール紙の先端縁に貼付するとき、２つの移動手段の同期駆動制御によりユニット１５がロール紙の幅方向に移動する。【選択図】図１６
2005272033.tif 000002
【特許請求の範囲】
【請求項１】
平行する２つの長辺をもつ紙片の中央部分に一方の長辺から他方の長辺に向かって両長辺に対し斜めの切り目が形成されると共に、前記紙片の裏面に前記切り目を含む所定幅の非粘着領域を残して粘着層が形成されるタブであって、これが一方の長辺同士を向かい合わせにして帯状の剥離紙に所定の間隔で貼付され、その各長辺が前記剥離紙の長さ方向に対して直交していることを特徴とするロール紙端縁固定用タブ。
【請求項２】
テーブル上に繰り出されて幅方向に対し斜めに切断されたロール紙の先端縁に請求項１記載のタブを所定の間隔で突出状態に貼付する装置であって、前記タブが貼付された帯状の剥離紙を巻回して成るタブロールを装着するためのタブ供給リールと、このタブ供給リールに装着されたタブロールから引き出されるタブ付きの剥離紙を鋭角状に折り曲げて該剥離紙からタブを剥離突出させるタブ剥離具と、このタブ剥離具により剥離紙から剥離突出されたタブの一端部を前記テーブル上でロール紙の先端縁に押し付けるタブ押圧具と、タブが剥離された剥離紙を巻き取る巻取リールとを有して構成されるタブ貼付ユニットを備えると共に、そのタブ貼付ユニットを前記テーブル上でロール紙の先端縁に沿って平行移動させる第１のユニット移動手段と、前記タブ貼付ユニットを前記テーブルの上面に沿ってロール紙の先端縁と直交する方向に往復移動させる第２のユニット移動手段とを備え、前記タブ貼付ユニットはタブ供給リールの軸線がテーブル上におけるロール紙の長さ方向に平行する状態で前記テーブル上に配され、前記タブ押圧具によりロール紙の先端縁にタブの一端部を押し付けるときにタブ貼付ユニットが第１のユニット移動手段と第２のユニット移動手段との同期駆動制御によりロール紙の幅方向に移動するようにしたことを特徴とするタブ貼付装置。
【請求項３】
第１のユニット移動手段と第２のユニット移動手段を不作動状態にしてタブ貼付ユニットをテーブル上でロール紙の幅方向に移動させ得る第３のユニット移動手段を備えた請求項２記載のタブ貼付装置。
【請求項４】
タブ剥離具は上下方向に揺動可能に設けられて先端が昇降運動を行う薄片状の板材から成り、タブ貼付ユニットには薄片状の板材から成るタブ剥離具を上下方向に揺動させるための駆動源が設けられる請求項２、又は３記載のタブ貼付装置。
【請求項５】
タブ押圧具が昇降運動を行う板バネから成る請求項２〜４の何れか一項に記載のタブ貼付装置。
【請求項６】
タブ貼付ユニットには、テーブル上に繰り出されたロール紙を切断する昇降可能な切刃が設けられる請求項２〜５の何れか一項に記載のタブ貼付装置。
【発明の詳細な説明】
【技術分野】
【０００１】
本発明は、新聞や書籍類などを生産するのに用いられるロール紙の巻解れを防止するために、その先端縁を仮止めするタブと該タブをロール紙の先端縁に貼付するタブ貼付装置に関する。
【背景技術】
【０００２】
新聞や書籍類などを生産する場合の印刷用原反とするロール紙には、連続給紙を行えるように予め紙継ぎ用の仕立てを施すが、その仕立処理としてはロール紙の先端縁に沿って供給中の紙に接着させるための両面テープ（両面が粘着面とされる粘着テープ）を貼付するほか、給紙前におけるロール紙の巻解れを防止するためにロール紙の先端縁をタブにより仮止めすることが行われる。
【０００３】
その種のタブとして、例えば図１７に示すようなものが知られる。このタブＴａは長方形状をした紙片の裏面にその中央部分を残して粘着層ｎを形成し、中央の非粘着領域に両側の長辺に対して直角なミシン目状の切り目ｃを形成したものであり、係るタブＴａは図１８に示すようにロール紙の外周に存在する先端縁を跨いで所定の間隔に貼付され、その各一端部上にはロール紙の先端縁に沿って両面テープｔが貼付される。尚、以上のようなタブＴａは図１９のようなタブロールとして帯状の剥離紙ｒに所定の間隔で貼付され、使用に際して剥離紙ｒから一枚ずつ剥離される。
【０００４】
一方、係るタブＴａをロール紙の先端縁に貼付する装置としては、図１９のようなタブロールを装着するためのタブ供給リールと、このタブ供給リールから引き出されるタブ付きの剥離紙を鋭角状に折り曲げて該剥離紙からタブを剥離突出させる板状のタブ剥離具と、これによって剥離突出されたタブをロール紙の先端縁に押し付ける押圧ローラと、タブ供給リールからタブ付きの剥離紙を引き出すためにタブが剥離された剥離紙を巻き取る巻取リールとを備え、それらを一体のユニットとしてロール紙の幅方向に移動する支持体で支持した構造のものが知られる（例えば、特許文献１）。
【０００５】
そして、図１８のようにタブＴａと両面テープｔが貼付されたロール紙によれば、両面テープｔに供給中の紙を押し付けると、これによる引張力でロール紙の先端縁に沿うタブの切り目ｃが切断されるために、給紙を中断せずして新たなロール紙から給紙を継続して行うことができる。
【０００６】
ところが、図１８のようにロール紙の先端縁がその幅方向（回転軸方向）に沿って平行に切断されるものでは、紙継ぎの際に各タブの切り目に剪断力が一斉に作用するために、個々の切り目ｃに作用する剪断力が小さくなってタブＴａが切断されないことがある。
【０００７】
このため、各タブＴａに剪断力が順次作用するように、図２０に示すようロール紙の先端縁を幅方向に対して斜めに切断し、その先端縁に対してタブＴａを直角に貼付することも行われている。しかし、図２０のような貼り方ではタブＴａの非粘着領域がロール紙の回転方向に対して開口するため、タブＴａが非粘着領域に流入する風圧の作用を受けて紙継ぎ前に切断されてしまうことがある。
【０００８】
そこで、図２１に示すような平行四辺形状の紙片（台紙）の中央部分に一組の辺と平行な切り目ｃを形成したタブＴｂが提案されている（例えば、特許文献２）。
【０００９】
そして、係るタブＴｂは先端縁が斜めに切断されるロール紙の仮止め用として、その切り目ｃが図２２のようにロール紙の先端縁に一致する状態でロール紙の長さ方向に沿って貼付されるのであり、このためロール紙の回転に伴う風圧の作用を受け難く、紙継ぎ時にはタブＴｂを切り目ｃに沿って確実に破断することができる。又、このタブＴｂも図２１のように帯状剥離紙ｒに対してその長さ方向に切り目ｃが平行する状態で貼付されるので、ロール紙の先端縁に沿ってタブロールを平行移動させながら同方向にタブＴｂ付きの剥離紙ｒを繰り出すことにより、ロール紙の先端縁に切り目ｃの向きを一致させた状態で各タブＴｂを適正に貼付してロール紙の仮止めを行うことができる。
【００１０】
【特許文献１】特許第３２８０２６０号公報（特許請求の範囲、図９〜図１５）
【００１１】
【特許文献２】特許第３０３２７５９号公報（特許請求の範囲、図１〜図５）
【発明の開示】
【発明が解決しようとする課題】
【００１２】
然し乍ら、特許文献２に開示されるタブＴｂによれば、図２１のように一組の辺を帯状剥離紙ｒの側縁に対して平行にし、しかも隣り合うタブＴｂ，Ｔｂが剥離紙ｒの幅方向で重なり合わない状態で貼付されるので、一巻のタブロールに含まれるタブ数が少なくなり、一巻当たりのタブ数を増やすには長尺な剥離紙を必要とするので材料コストが嵩み、タブロールの直径も大きくなるので取り扱いが困難になる。
【００１３】
又、従来タブＴｂは、剥離紙ｒに帯状の原紙を貼り合わせ、その状態で原紙をタブＴｂの形状に打ち抜き、しかる後、打抜部分を残して原紙を剥離紙ｒから引き剥がすことにより図２１のようなタブロールとするので、剥離紙ｒのみならずタブＴｂを形成する原紙の無駄が多く発生する。
【００１４】
尚、タブＴｂ同士を近接させれば剥離紙を短くしながらタブ数を増すことができるものの、この場合には隣り合うタブＴｂ，Ｔｂが剥離紙ｒの幅方向で重なり合い、ロール紙の先端縁を仮止めするに際して一つのタブＴｂが剥離紙ｒから完全に剥離されぬうちに、後続のタブＴｂが剥離紙ｒから剥離され始めてロール紙に粘着してしまうので実用に供し得ない。
【００１５】
本発明は以上のような事情に鑑みて成されたものであり、その目的は剥離紙及び材料原紙の使用量を節約しながら幅方向に対して斜めに切断されたロール紙の先端縁を確りと仮止めすることのできるタブと該タブをロール紙の先端縁に適正に貼付するための装置を提供することにある。
【課題を解決するための手段】
【００１６】
本発明は上記目的を達成するため、平行する２つの長辺をもつ紙片の中央部分に一方の長辺から他方の長辺に向かって両長辺に対し斜めの切り目が形成されると共に、前記紙片の裏面に前記切り目を含む所定幅の非粘着領域を残して粘着層が形成されるタブであって、これが一方の長辺同士を向かい合わせにして帯状の剥離紙に所定の間隔で貼付され、その各長辺が前記剥離紙の長さ方向に対して直交していることを特徴とする。
【００１７】
又、テーブル上に繰り出されて幅方向に対し斜めに切断されたロール紙の先端縁に請求項１記載のタブを所定の間隔で突出状態に貼付する装置であって、前記タブが貼付された帯状の剥離紙を巻回して成るタブロールを装着するためのタブ供給リールと、このタブ供給リールに装着されたタブロールから引き出されるタブ付きの剥離紙を鋭角状に折り曲げて該剥離紙からタブを剥離突出させるタブ剥離具と、このタブ剥離具により剥離紙から剥離突出されたタブの一端部を前記テーブル上でロール紙の先端縁に押し付けるタブ押圧具と、タブが剥離された剥離紙を巻き取る巻取リールとを有して構成されるタブ貼付ユニットを備えると共に、そのタブ貼付ユニットを前記テーブル上でロール紙の先端縁に沿って平行移動させる第１のユニット移動手段と、前記タブ貼付ユニットを前記テーブルの上面に沿ってロール紙の先端縁と直交する方向に往復移動させる第２のユニット移動手段とを備え、前記タブ貼付ユニットはタブ供給リールの軸線がテーブル上におけるロール紙の長さ方向に平行する状態で前記テーブル上に配され、前記タブ押圧具によりロール紙の先端縁にタブの一端部を押し付けるときにタブ貼付ユニットが第１のユニット移動手段と第２のユニット移動手段との同期駆動制御によりロール紙の幅方向に移動するようにしたことを特徴とする。
【００１８】
更に、以上のようなタブ貼付装置において、第１のユニット移動手段と第２のユニット移動手段を不作動状態にしてタブ貼付ユニットをテーブル上でロール紙の幅方向に移動させ得る第３のユニット移動手段を備えることを特徴とする。
【００１９】
又、タブ剥離具は上下方向に揺動可能に設けられて先端が昇降運動を行う薄片状の板材から成り、タブ貼付ユニットには薄片状の板材から成るタブ剥離具を上下方向に揺動させるための駆動源が設けられること、タブ押圧具が昇降運動を行う板バネから成ること、及びタブ貼付ユニットには、テーブル上に繰り出されたロール紙を切断する昇降可能な切刃が設けられることを特徴とする。
【発明の効果】
【００２０】
本発明に係るタブは、平行する２つの長辺に対して切り目が斜めに形成されることから、長辺をロール紙の周方向（繰出部分の長さ方向）に向けた状態に貼付して、幅方向に対し斜めに切断されたロール紙の先端縁に切り目の向きを合わせることができる。このため、ロール紙の先端縁を確りと仮止めしながら紙継ぎに際して切り目の部分を良好に破断することができる。特に、係るタブはタブロールとして帯状の剥離紙に所定の間隔で貼付され、その各長辺が剥離紙の長さ方向に対して直交することから、剥離紙の単位長さ当たりに可及的多くのタブを貼付して、剥離紙の使用量とタブロールの交換頻度を減らせ、長辺同士の間隙を小さくしても剥離紙の一端から順に各タブを一枚ずつ良好に剥離することができる。
【００２１】
又、本発明に係るタブ貼付装置は、先端縁が幅方向に対して斜めに切断されるロール紙の仕立てに対応し、上記のようなタブ付き剥離紙から成るタブロールを装着するタブ供給リールなどを備えた貼付ユニットを、テーブル上でロール紙の先端縁に沿って平行移動させる第１のユニット移動手段を備えることから、ロール紙の先端縁に沿って所定の間隔に設定されるタブ貼付位置上にタブ貼付ユニットを案内でき、しかもタブ貼付ユニットはテーブル上に繰り出されるロール紙の長さ方向にタブ供給リールの軸線が平行する状態に配されると共に、このタブ貼付ユニットをテーブルの上面に沿ってロール紙の先端縁と直交する方向に往復移動させる第２のユニット移動手段を備え、タブの貼付に際して第１、第２のユニット手段の同期駆動制御（テーブルの上面に平行で互いに直交する２方向のベクトル合成）により、タブ貼付ユニットがテーブル上でロール紙の幅方向に移動するようにしたことから、タブロールからタブ付き剥離紙を引き出しながら、剥離紙から剥離されるタブをその長辺がロール紙の長さ方向に平行する状態で貼付することができる。
【００２２】
更に、タブ貼付ユニットがタブ貼付位置で一時停止されないので、貼付作業を高速で効率的に行うことができる。
【００２３】
又、第１のユニット移動手段と第２のユニット移動手段を不作動状態にしてタブ貼付ユニットをテーブル上でロール紙の幅方向に移動させ得る第３のユニット移動手段を備えることから、第２のユニット移動手段が動作不能状態に陥った場合でも、タブ貼付ユニットをタブ貼付位置上でロール紙の幅方向に移動してタブの貼付を行うことができる。
【００２４】
又、タブ剥離具を薄片状の板材として、その先端が昇降するようにしたことから、剥離紙から剥離突出されたタブの一方の長辺側が剥離紙で支持された状態のまま、他方の長辺側をロール紙に粘着させ始めることができるので、ロール紙の長さ方向に長辺が向けられた状態でタブを良好に貼付することができる。
【００２５】
又、タブ押圧具が板バネで成ることから、ロール紙の先端縁に対してタブを適度な押圧力で押し付けることができ、しかも同タブ押圧具が昇降するようにしていることから、タブの貼付後にタブ押圧具を上昇させて、これがロール紙を引っかけることを防止できる。
【００２６】
更に、タブ貼付ユニットにはテーブル上に繰り出されたロール紙を切断するための切刃が設けられることから、ロール紙を切断する専用機が不要であり、しかも切刃により切断されるロール紙の先端縁と第１のユニット移動手段によるタブ貼付ユニットの移動方向を確実に一致させることができる。
【発明を実施するための最良の形態】
【００２７】
以下、本発明を図面に基づいて詳しく説明する。図１は本発明に係るロール紙端縁固定用タブを示す平面図であり、図２には図１におけるＸ−Ｘ断面を示す。図１から明らかなように、係るタブ１は平行する２つの長辺ａとこれに直交する２つの短辺ｂとをもつ長方形状の紙片２の中央部分に切り目３を形成する。
【００２８】
切り目３は、一方の長辺ａから他方の長辺ａに向かって両長辺ａ，ａに対し斜めに形成される直線形であり、その傾斜角θは本例において長辺ａに直角な基準線ｌに対し１５度に設定される。又、紙片２の裏面には切り目３を含む所定幅の非粘着領域４を残して粘着剤を塗布して成る粘着層５が形成される。係る粘着層５で挟まれる非粘着領域４は、切り目３を中心に一方の長辺ａから他方の長辺ａに亙って連続する粘着剤が塗布されない帯状の領域であり、その幅は概ね１〜３ｃｍに設定されるが、これを切り目３を中心に形成せず切り目３の両側で非粘着領域４の幅を相違させるようにしてもよい。
【００２９】
そして、係るタブ１は図３のようにロール状に巻回される帯状の剥離紙６に貼付して円筒形のタブロール７とされる。特に、タブ１は一方の長辺ａ同士を向かい合わせに近接させた状態で剥離紙６の長さ方向に所定の間隔で貼付され、その各長辺ａが剥離紙６の長さ方向に対して直交（各短辺ｂが剥離紙６の長さ方向に平行）するようになっている。このため、剥離紙６の単位長さ当たりに可及的多くのタブ１を貼付することができ、しかも剥離紙６の長さ方向に沿ってタブ１を一枚ずつ良好に剥離することができる。尚、紙片２は長方形であることに限らず、短辺ｂが非平行な台形状としたり、短辺ｂを曲線状とするなどしてもよい。
【００３０】
ここに、剥離紙６の先端部分は所定の長さに亙ってタブ１が貼付されない余白部６Ａとされ、この余白部６Ａを巻き取ることによりタブ１付きの剥離紙６をタブロール７から引き出しつつタブ１を剥離紙６から順次剥離して、新たに発生した余白部６Ａの巻き取りが繰り返されるようになっている。又、各タブ１の間隔は１〜５ｍｍに設定されるが、その間隔は必要に応じて変更することができる。
【００３１】
次に、図４はタブを剥離紙から剥離する状態を示す。この図から明らかなように、タブロール７から引き出されるタブ１付きの剥離紙６は、タブ１の貼付されていない面を内側にして板材などで鋭角状に折り曲げられ、その折曲部分でタブ１が剥離紙６から剥離突出されるのであり、このため剥離紙の余白部６Ａを順次巻き取ればタブ１を一枚ずつ剥離紙６から剥離することができる。
【００３２】
そして、剥離紙６から剥離されたタブ１は、図５のようにロール紙８の巻解れを防止する仮止め用として該ロール紙の先端縁ｅに所定の間隔で貼付される。尚、ロール紙の先端縁ｅはその幅方向Ｗに対して斜めに切断され、その先端縁ｅ（切断縁）に沿って各タブ１が切り目３の向きを合わせて貼付されると共に、その切り目３で二分される各タブ１の片側一端部上にはロール紙の先端縁ｅに沿って両面テープ９（両面が粘着面とされる粘着テープ）が貼付される。従って、供給途中のロール紙の残量が減少したとき、これに両面テープ９の部分を押し付けることにより、供給中の紙による引張力により各タブ１を切り目３の位置で確実に破断して新旧のロール紙の紙継ぎを行うことができる。尚、両面テープ９を用いずにロール紙の先端縁ｅに沿って粘着剤を塗布するなどしてもよい。
【００３３】
ここで、タブロール７の剥離紙６に貼付されたタブ１は、その長辺ａが剥離紙６の長さ方向（両側縁）に対して直交していることから、長辺ａに対して傾斜する切り目３は剥離紙６の長さ方向に対しても所定の傾きを有する。よって、タブ１付きの剥離紙６をロール紙の先端縁ｅの方向に引き出して、これを同方向に移動させながらタブ１を貼付するという方式では、タブ１の切り目３の向きがロール紙の先端縁ｅに合致せず、紙継ぎの際にタブ１が破断されなくなる虞れがある。
【００３４】
そこで、本発明は上記のようなタブ１の切り目３をロール紙の先端縁ｅの向きに合致させながら、これをロール紙の先端縁ｅに沿って所定の間隔で貼付することのできる新規な装置も提供する。
【００３５】
図６は係るタブ貼付装置を示した側面概略図である。図６において、１０は仕立処理するロール紙を載せる昇降台であり、この昇降台１０にはロール紙８を回転自在に支持する転動ローラ１１が設けられる。又、昇降台１０上には図示せぬ繰出装置が設けられ、これによって転動ローラ１１で支持されたロール紙８からその先端部分が繰り出されるようになっている。
【００３６】
１２はロール紙の繰出部分を支持するテーブルであり、このテーブル１２は支持脚１３により傾斜状態に支持される。特に、テーブル１２の下方には吸気装置１４が設けられ、テーブル１２上におけるロール紙の繰出部分８Ａが吸気装置１４による吸気作用によりテーブル１２の上面に吸着されるようになっている。そして、この状態でロール紙の繰出部分８Ａが切断された後、その先端縁ｅに対して上記のようなタブ１がタブ貼付ユニット１５により貼付されるようになっている。尚、ロール紙の切除部分はテーブル１２の下流側に設けられるローラ１６により巻き取られる。又、タブ貼付ユニット１５は、テーブル１２の上面に沿ってその上方に架設される桁材１７で支持され、その桁材１７はテーブル１２上に設けられるフレーム１８により水平状に支持される。
【００３７】
次に、図７はテーブルの上面に対する垂線上からみた状態を示す。この図で明らかなように、桁材１７はロール紙８の回転軸方向（テーブル１２上に繰り出されたロール紙の幅方向Ｗ）に対して斜めに架設される。特に、ロール紙の幅方向Ｗに対する桁材１７の角度γはタブ１の切り目３の角度θ（図１参照）に合致される。そして、タブ貼付ユニット１５は桁材１７の長さ方向に往復移動可能に設けられ、係るタブ貼付ユニット１５が桁材１７の一端部から他端部に向かって移動する際にテーブル１２上におけるロール紙の繰出部分８Ａの切断が行われる。つまり、タブ貼付ユニット１５はテーブル１２上に繰り出されたロール紙の幅方向Ｗに対して斜行しながらその切断を行うのであり、このためテーブル１２上に繰り出されたロール紙は幅方向Ｗに対し斜めに切断されて先端縁ｅが桁材１７の方向と一致するようになる。
【００３８】
尚、タブ貼付ユニット１５は、桁材１７の長さ方向（テーブル１２上で切断されたロール紙の先端縁ｅに平行する方向）に移動可能とされるほか、テーブル１２の上面に沿って桁材１７と直交する方向（テーブル１２上におけるロール紙の先端縁ｅと直交する方向）にも移動可能とされるが、係る構成については後述し、タブ貼付ユニット１５の構成を先に説明する。
【００３９】
図８に示すように、タブ貼付ユニット１５は、切断装置１９、タブ供給リール２０、巻取リール２１、タブ剥離具２２、及びタブ押圧具２３を具備して構成される。このうち、切断装置１９は上記のテーブル１２上でロール紙の繰出部分をその幅方向に対し斜めに切断するものであり、これは支持板２４に取り付けられる図示せぬ流体圧シリンダによって昇降されるスライド板２５と、これに取り付けられるモータ２６と、そのロータ軸に取り付けられるアーバ２７と、これに取り付けられる切刃２８とで構成される。そして、切刃２８はロール紙の切断時に降下してテーブル１２の上面に接触され、切断後にはテーブル１２上に上昇退避される。
【００４０】
又、図８において、タブ供給リール２０は支持板２４に取り付けられる軸部２９でフランジ３０，３１付きの芯筒３２を回転自在に支持した構成であり、芯筒３２の外周にはタブロール７がその中心部を嵌め込んだ状態で固定されるようになっている。特に、係るタブ供給リール２０は、軸部２９に対する芯筒３２の締付力により回転トルクを調整可能とされる。尚、芯筒３２を回転固定し、その外周にタブロール７が回転自在に装着されるようにしてもよく、この場合でもタブ供給リール２０に装着したタブロール７を回転させながらタブ１付きの剥離紙６を引き出すことができる。
【００４１】
巻取リール２１は、タブロール７からタブ付きの剥離紙を引き出すためのものであり、その回転軸３３の外周には先ず最初に剥離紙の余白部６Ａ（図３参照）を巻き付けるための巻枠３４が取り付けられる。つまり、タブロール７から引き出された剥離紙の余白部６Ａを複数のローラ３５〜４０を介して巻取リールの巻枠３４に巻き付け、その状態で巻取リール２１を回転させることにより、タブロール７からタブ１付きの剥離紙６が引き出されるようになっている。
【００４２】
４１は巻取リール２１を回転させるためのモータであり、そのロータ軸に取り付けられるプーリ４２と巻取リールの回転軸３３に取り付けられるプーリ４３との間には、タイミングベルト４４が巻掛けられる。又、プーリ４３と同軸に設けられるプーリ４５と、ローラ３９の回転軸に取り付けられるプーリ４６との間にもタイミングベルト４７が巻掛けられ、巻取リール２１に同期してローラ３９も回転駆動するようにしてある。尚、巻取リール２１のみを回転駆動する構成としても良く、この場合でもタブ供給リール２０に装着したタブロール７からタブ１付きの剥離紙６を引き出すことができる。
【００４３】
剥離紙６は、巻取リール２１に巻き取られる前にその上流に設けられる板状のタブ剥離具２２により鋭角状に折り曲げられ、その折曲部分で剥離紙６からタブ１が剥離突出されるのであり（図４参照）、このため巻取リール２１にはタブ１が剥離された剥離紙６のみが巻き取られ、これにより引き出されるタブ１付きの剥離紙６からはタブ剥離具２２によってタブ１の剥離が順次行われる。
【００４４】
係るタブ剥離具２２は、図８及び図９に示すように薄片状の板材で成り、これは支持板２４に回転自在に取り付けられる支点軸４８Ａをもつ揺動アーム４８と一体にして上下方向に揺動可能に設けられる。又、揺動アーム４８とその支点軸４８Ａには剥離紙６を掛け回すローラ３６，３７が回転自在に取り付けられ、支持板２４には揺動アーム４８と一体のタブ剥離具２２を上下方向に揺動させるための駆動源（本例において流体圧シリンダ４９を用いるが、これに電磁ソレノイドやモータを使用することも可能）が設けられる。そして、流体圧シリンダ４９の伸縮ロッドと支点軸４８Ａとをリンク５０で連結し、流体圧シリンダ４９の作動により揺動アーム４８と一体のタブ剥離具２２が上下方向に揺動してその先端が昇降運動を行うようにしてある。尚、タブ剥離具２２の先端は降下に際してテーブル１２上のロール紙に近接乃至は接触するのであり、このためタブ剥離具２２の先端位置で剥離紙６から剥離突出されるタブを剥離紙から剥離しつつロール紙に貼付することができる。
【００４５】
特に、このタブ剥離具２２により剥離紙から剥離突出されたタブの一端部は、タブ押圧具２３によりテーブル１２上でロール紙の先端縁に押し付けられる。係るタブ押圧具２３はタブ剥離具２２上からその先端前方に向けて延びる板バネで成り、その一端は揺動アーム４８の先端部に固定される。よって、このタブ押圧具２３もタブ剥離具２２の揺動に同期して昇降運動を行い、その降下に際してタブ剥離具２２の先端位置で剥離紙から剥離突出されるタブをテーブル１２上のロール紙に押し付けることができる。尚、タブ押圧具２３は揺動アーム４８に連結することに限らず、これをタブ剥離具２２の先端部付近で支持板２４に昇降可能に取り付け、その昇降を図示せぬ流体圧シリンダなどによりタブ剥離具２２の先端の昇降運動と同期して行うようにすることもできる。
【００４６】
次に、以上のように構成されるタブ貼付ユニットの支持構造を説明する。図１０はテーブル上に架設される桁材の軸直角断面であり、桁材１７の下面にはその長さ方向に沿って長尺な固定板５１が取り付けられると共に、固定板５１の下面にはその長さ方向に沿ってガイドレール５２が取り付けられる。又、固定板５１の下方には第１可動板５３が配され、第１可動板５３の上面にはガイドレール５２に対して摺動自在に係合するスライドブロック５４が取り付けられる。そして、固定板５１の側縁に沿ってラック５５を取り付けると共に、そのラック５５と噛み合うピニオン５６を回転させるための制御モータ５７を第１可動板５３に取り付けて第１のユニット移動手段が構成される。これによれば、制御モータ５７の駆動により第１可動板５３を桁材１７の長さ方向に移動させ、第１可動板５３の下方に配されるタブ貼付ユニット１５をテーブル上におけるロール紙の先端縁に沿って平行移動させることができる。
【００４７】
一方、図１０及び図１１から明らかなように、第１可動板５３の下面にはガイドレール５２と直交するリニアガイド５８が取り付けられる。又、第１可動板５３の下方にはタブ貼付ユニット１５を連結するための壁面５９ＡをもつＬ形の第２可動板５９が配され、その上面にリニアガイド５８に対して摺動自在に係合するスライドブロック６０が取り付けられる。そして、第１可動板５３の下面に制御モータ６１を取り付けると共に、そのロータ軸に連結したネジ軸６２（本例においてボールスクリュー）をリニアガイド５８に平行させ、これを第２可動板５９の上面に固定したナット６３に螺合して第２のユニット移動手段が構成される。これによれば、制御モータ６１の駆動により、第２可動板５９を桁材１７の直交方向に移動させ、第２可動板５９に連結するタブ貼付ユニット１５をテーブル１２の上面に沿ってロール紙の先端縁と直交する方向に移動させることができる。
【００４８】
尚、タブ貼付ユニット１５は、図１１のようにタブ供給リール２０の軸線がテーブル上に繰り出されるロール紙の長さ方向Ｌ（図６におけるテーブル１２の傾斜方向）と平行する状態で第２可動板５９に連結される。特に、第２可動板の壁面５９Ａにはテーブル上に繰り出されるロール紙の幅方向Ｗに沿ってリニアガイド６４が取り付けられると共に、タブ貼付ユニットの支持板２４にはリニアガイド６４に係合するスライドブロック６５が取り付けられる。そして、図１２のように第２可動板５９に流体圧シリンダ６６を設けると共に、該流体圧シリンダ６６の伸縮ロッドが連結されるブラケット６７をタブ貼付ユニットの支持板２４に取り付けて、タブ貼付ユニット１５をリニアガイド６４に沿ってテーブル１２上に繰り出されるロール紙の幅方向Ｗに移動させ得る第３のユニット移動手段が構成される。
【００４９】
以上のようなタブ貼付装置によれば、図１３のように幅方向Ｗに対し斜めに切断されたロール紙の先端縁ｅにタブ１を所定の間隔で貼付することができる。特に、各タブ１は長辺ａがロール紙の長さ方向Ｌに平行する状態で貼付され、その切り目３の向きがロール紙の先端縁ｅの方向に合致されると共に、各タブ１の一端部はロール紙の先端縁ｅより突出され、タブ１の他の一端部上においてロール紙にはその先端縁ｅに沿って両面テープ９が貼付される。尚、図１３のようにロール紙の先端縁ｅにおける一角Ｓは切除されるが、これは図８に示した切刃２８の刃先をモータ２６の回転によりロール紙の先端縁ｅと直交する方向に向け、その状態でタブ貼付ユニット１５をロール紙の先端縁ｅと直交する方向に移動させることにより行われる。又、両面テープ９はタブ１の貼付後に上記の桁材１７に沿って移動可能に設けられる図示せぬテープ貼付ユニットで自動貼りされるが、その構成については説明を省略する。
【００５０】
ここで、以上のような装置によりテーブル上で図１３に示すようロール紙の先端縁ｅにタブ１を貼付するには、先ず第１のユニット移動手段を作動させてタブ貼付ユニット１５を桁材１７の一端部から他端部に向けて移動させながら、テーブル１２上においてロール紙の繰出部分８Ａの切断を行う。すなわち、図８に示す切刃２８を降下させた状態で図１０に示す制御モータ５７を一方向に回転駆動させ、タブ貼付ユニット１５をテーブル１２上に繰り出されたロール紙の上方で該ロール紙の幅方向Ｗに対して斜行させる。これにより、ロール紙は桁材１７に平行して先端縁ｅが幅方向Ｗに対し斜めに切断される。
【００５１】
その後、第１のユニット移動手段を逆向きに作動させながら、第２のユニット移動手段を正逆に作動させてロール紙の先端縁ｅにタブ１の貼付を行う。詳しくは、制御モータ５７を上記と逆方向に回転駆動し第１可動板５３を桁材１７の長さ方向（以下、Ｘ方向という）に沿うロール紙の先端縁ｅに対して平行移動させながら、制御モータ６１を正逆に回転駆動して第２可動板５９をテーブル１２の上面に沿ってロール紙の先端縁ｅと直交する方向（以下、Ｙ方向という）に往復移動させる。
【００５２】
一方、タブ貼付ユニット１５では、図８に示す巻取リール２１を回転駆動してタブ供給リール２０に装着されたタブロール７からタブ１付き剥離紙６の引き出しを行う。これにより、タブ剥離具２２の先端で鋭角状に折り曲げられた剥離紙６からは図１４のようにタブ１が剥離突出される。そして、タブ剥離具２２がロール紙の先端縁ｅ上の所定位置（タブ貼付位置）に位置決めされたとき流体圧シリンダ４９を駆動してタブ剥離具２２の先端を降下させる。
【００５３】
すると、図１５のようにタブ剥離具２２の先端部分で剥離紙６から剥離突出されたタブ１はその一端部がロール紙の先端縁ｅに粘着すると同時に該タブの一端部がタブ押圧具２３によってロール紙の先端縁ｅに押し付けられる。このとき、巻取リール２１により剥離紙６の巻き取りを行いながら、第１、第２のユニット移動手段の同期駆動制御によりタブ貼付ユニット１５をテーブル１２上におけるロール紙の幅方向Ｗに移動させる。
【００５４】
つまり、制御モータ５７の回転駆動により第１可動板５３をＸ方向に沿って一定速度で進行させたまま、制御モータ６１の回転駆動により第２可動板５９をＹ方向に沿って一定速度で進行させ、第１可動板５３の進行方向の移動ベクトル（図１６においてＳ1→Ａ1）と第２可動板５９の進行方向の移動ベクトル（図１６においてＳ1→Ｂ1）との合成によりタブ貼付ユニット１５をロール紙の幅方向Ｗ（図１６においてＳ1→Ｃ1）に一定量だけ移動させるのである。これにより、タブ１の一端部がタブ押圧具２３でロール紙の先端縁ｅに押し付けられながら、当該タブ１が長辺ａをロール紙の長さ方向Ｌに向けた状態で剥離紙６から剥離され、これがロール紙の先端縁ｅに一端を突出させた状態に貼付される。
【００５５】
こうして、一つのタブ１を貼付したら、流体圧シリンダ４９を駆動してタブ剥離具２２の先端とタブ押圧具２３を上昇させると共に、制御モータ５７の回転駆動による第１可動板５３のＸ方向に沿う進行を継続したまま、制御モータ６１を逆転して第２可動板５９をＹ方向に沿って上記と逆向き（図１６においてＤ→Ｅ）に退行移動させる。
【００５６】
尚、ロール紙の幅方向Ｗに対するタブ貼付ユニット１５の移動量は、一定時間内における第１可動板５３と第２可動板５９の移動量を制御することによってタブ１の幅より稍大きくなるよう設定されると共に、第２可動板５９の進行時と退行時の移動量は同一とされるが、係る第２可動板５９の退行時の速度は進行時と同じに設定することに限らず、タブ１を貼付する間隔や第１可動板５３の進行速度によって第２可動板５９の退行速度を変えることができる。
【００５７】
そして、タブ貼付ユニット（タブ剥離具の先端）が次のタブ貼付位置（図１６において点Ｓ２）に到達したら再度タブ貼付ユニット１５をロール紙の幅方向Ｗに移動させるべく第１、第２のユニット移動手段の同期駆動制御により、第１可動板をＸ方向に定速で進行させたまま（Ｓ２→Ａ２）、第２可動板のＹ方向への定速進行（Ｓ２→Ｂ２）を行い、このような動作の繰り返しによってロール紙の先端縁ｅに沿って各タブ１を図１３のように所定の間隔で貼付することができる。
【００５８】
尚、以上のように第１、第２のユニット移動手段を同期駆動制御してタブの貼付を行うものでは、第１可動板をＸ方向に連続走行させて貼付効率を上げることができるが、係る装置では第１のユニット移動手段と第３の移動手段とを利用してタブの貼付を行うこともできる。つまり、第１可動板５３をタブの貼付間隔に合わせＸ方向に一定量ずつ間欠走行させ、これによりタブ貼付ユニット１５（正確にはタブ剥離具２２の先端）を所定の間隔に設定されるタブ貼付位置上に順次停止させ、この状態でタブ剥離具２２の先端とタブ押圧具２３とをテーブル１２の上面に向けて降下させた後、剥離紙の巻き取りを行いながら図１２に示す流体圧シリンダ６６を駆動してタブ貼付ユニット１５をロール紙の幅方向Ｗに移動させることにより、上記例と同様にロール紙の先端縁ｅにタブ１を突出状態で貼付することができる。尚、この場合も、タブの貼付後においてタブ剥離具２２とタブ押圧具２３の上昇を行う。そして、第１のユニット移動手段の再起動によりタブ貼付ユニット１５が次のタブ貼付位置に到達する間に流体圧シリンダ６６を上記と逆向きに動作してタブ貼付ユニット１５を第２可動板５９に対する定位置に復帰させる。
【００５９】
ここに、上記のようにしてロール紙の先端縁ｅに沿ってタブ１を所定の間隔で貼付したら、各タブの一端部上に両面テープを貼付した後、ロール紙を巻き戻してその先端縁ｅより突出するタブ１の一端部をロール紙の外周面に粘着させることにより、先端縁ｅがタブ１により仮止められた図５のような仕立て済みロール紙が得られる。
【００６０】
以上、本発明について説明したが、本発明は上記例に限らず、例えば第１のユニット移動手段において、第１可動板５３の送り装置にチェーン駆動機構や送りネジ機構を採用することもできる。又、第２のユニット移動手段において、第２可動板５９の送り装置に流体圧シリンダを採用することもできる。更に、第３のユニット移動手段において、送りネジ機構を採用することもできる。尚、第３のユニット移動手段を省略し、タブ貼付ユニットを第２可動板５９に固定してよい。
【００６１】
一方、タブ剥離具として小径なピン状の丸棒を利用することもできる。尚、この場合には係る丸棒を支持板２４に固定してもよいが、これを図示せぬ流体圧シリンダの先端に直角に固定するなどして昇降可能とすることが好ましい。
【図面の簡単な説明】
【００６２】
【図１】本発明に係るタブの平面概略図
【図２】図１のＸ−Ｘ断面図
【図３】本発明に係るタブを剥離紙に貼付して成るタブロールを示す斜視図
【図４】剥離紙からタブが剥離される状態を示す斜視図
【図５】本発明に係るタブにより先端縁を仮止められたロール紙を示す斜視図
【図６】本発明に係るタブ貼付装置の側面概略図
【図７】同装置の平面概略図
【図８】タブ貼付ユニットを示す側面概略図
【図９】タブ貼付ユニットの部分拡大図
【図１０】タブ貼付ユニットの支持構造を示す部分断面図
【図１１】タブ貼付ユニットの支持構造を示す上面図
【図１２】タブ貼付ユニットの支持構造を示す説明図
【図１３】タブを貼付したロール紙の先端部分を示す平面図
【図１４】ロール紙の先端縁にタブを貼付する状態を示す説明図
【図１５】ロール紙の先端縁にタブを貼付する状態を示す説明図
【図１６】ロール紙の先端縁にタブを貼付する状態を示す説明図
【図１７】従来タブの平面図
【図１８】図１７の従来タブにより仮止めされたロール紙を示す斜視図
【図１９】図１７の従来タブから成るタブロールを示す斜視図
【図２０】図１７の従来タブにより仮止められたロール紙を示す斜視図
【図２１】他の従来タブから成るタブロールを示す斜視図
【図２２】図２１の従来タブにより仮止めされたロール紙を示す斜視図
【符号の説明】
【００６３】
１  タブ
２  紙片
３  切り目
４  非粘着領域
５  粘着層
６  剥離紙
７  タブロール
８  ロール紙
１２  テーブル
１５  タブ貼付ユニット
１７  桁材
２０  タブ供給リール
２１  巻取リール
２２  タブ剥離具
２３  タブ押圧具
２８  切刃
４９  流体圧シリンダ（タブ剥離具の揺動用駆動源）
５３  第１のユニット移動手段を構成する第１可動板
５９  第２のユニット移動手段を構成する第２可動板
６６  第３のユニット移動手段を構成する流体圧シリンダ
【図１】
2005272033.tif 000003
【図２】
2005272033.tif 000004
【図３】
2005272033.tif 000005
【図４】
2005272033.tif 000006
【図５】
2005272033.tif 000007
【図６】
2005272033.tif 000008
【図７】
2005272033.tif 000009
【図８】
2005272033.tif 000010
【図９】
2005272033.tif 000011
【図１０】
2005272033.tif 000012
【図１１】
2005272033.tif 000013
【図１２】
2005272033.tif 000014
【図１３】
2005272033.tif 000015
【図１４】
2005272033.tif 000016
【図１５】
2005272033.tif 000017
【図１６】
2005272033.tif 000018
【図１７】
2005272033.tif 000019
【図１８】
2005272033.tif 000020
【図１９】
2005272033.tif 000021
【図２０】
2005272033.tif 000022
【図２１】
2005272033.tif 000023
【図２２】
2005272033.tif 000024